(57)【要約】      （修正有）【課題】キッチンペーパーロールを調理台あるいは流し台の上に常備して置くためのキッチンペーパーロール・スタンドを提供する。【解決手段】曲部２ｂを描いて上方に反り上る周辺部２ａとキッチンペーパーロール４の未使用のロール径大の平面状の中央部２ｃからなる受皿２と、受皿２の中心２ｄに立設されかつキッチンペーパーロール４の円筒芯４ｂの内径より細径とされた主円柱３もしくは主円柱３に代えて主円柱３と同径で同長さとなる短い副円柱と副円筒とから形成し、受皿２の質量をキッチンペーパーロール４や、受皿２の中心２ｄに立設の主円柱３や、キッチンペパーロール４の円筒芯４ｂからなる質量の合計量よりも大きな質量として重心の位置を受皿２の側に低く下げて受皿２およびキッチンペーパーロール４の倒れを防止する。【選択図】図１
0003173531.tif 000002
【実用新案登録請求の範囲】
【請求項１】
曲部を描いて上方に反り上る周辺部とキッチンペーパーロールの未使用のロール径大の平面状の中央部からなる受皿と、受皿の中心に立設され、キッチンペーパーロールの円筒芯の内径より細径であり、かつ、キッチンペーパーロールの円筒芯の長さより長い主円柱とからなり、さらに、受皿の質量を、キッチンペーパーロール、受皿の中心に立設の主円柱、キッチンペパーロールの円筒芯およびキッチンパーパーロールからなる質量の合計量よりも大きな質量として、重心の位置を受皿側に低く下げてキッチンパーパーロールごとの転倒を防止していることを特徴とするキッチンペーパーロール・スタンド。
【請求項２】
受皿の中心に立設され、キッチンペーパーロールの円筒芯の内径より細径であり、かつキッチンペーパーロールの円筒芯の長さよりも長い主円柱は、主円柱より短い副円柱とその短い副円柱に継ぎ足した副円柱もしくは副円筒からなることを特徴とする請求項１の手段のキッチンペーパーロール・スタンド。
【請求項３】
受け皿は曲部を描いて上方に反り上る周辺部が幅２〜３０ｍｍで、キッチンペーパーロールの未使用のキッチンペーパーロール径大の平面の中央部が径１１０〜１２０ｍｍで、キッチンペーパーロールの円筒芯の内径より細径とされた主円柱の外径が３０ｍｍ又は３５ｍｍでかつ主円柱の受皿の平面状の中央部からの高さが、キッチンペーパーロールの端片を切り取るため側方に引張って巻き戻した際に主円柱からキッチンペーパーロールの円筒芯を抜け落ちなくした高さで、キッチンペーパーロールの円筒芯を支持する主円柱の高さが受皿の中心に立設のキッチンペーパーロールより凡そ５〜２０ｍｍ上方に突出する高さであることを特徴とする請求項２の手段のキッチンペーパーロール・スタンド。
【請求項４】
受皿は、その素材が陶器、磁器、ガラス、木材、プラスチックスなどの素材からなり、素材が木材やプラスチックなどで軽量の場合は受皿の反り上がった曲部の裏面に鉄製の輪からなる錘を取り付けていることを特徴とする請求項３の手段のキッチンペーパーロール・スタンド。
【考案の詳細な説明】
【技術分野】
【０００１】
この考案は、キッチンペーパーロールを使用し易くするために、巻きほぐしを容易としたキッチンペーパーロール・スタンドで、特に台所の調理台あるいは流し台に備えたキッチンペーパーロール・スタンドに関する。
【背景技術】
【０００２】
キッチンペーパーは、台所で使用する紙で、吸収や清掃に用いる紙であり、一般的には、油料理をした後のフライパンの手入れや、ガスコンロや、オーブンや、流し台などの調理器具に付いた油汚れを拭き取ったり、鉄板焼きやたこ焼きなどの油引きの代用品として利用したり、調理の際に落とし蓋の代わりに使用したり、あるいは、使い捨ての布巾に代わるペーパーとして使用するものである。これらのキッチンペーパーは通常ロール状に巻回されているが、必ずしもロールに巻かれているとは限らず、個々に方形とされた紙シートからなる天ぷらの敷き紙などもある。これらはエンボス加工が施されて、油や水分の吸収や汚れの拭き取りが容易となっており、バージンパルプや牛乳パックなどの単独再生紙などが使用されて衛生的に配慮されている。
【０００３】
これらのキッチンペーパーのうち、巻きほぐしを容易として使用時に自在に一枚の方形のキッチンペーパーシートとすることができるキッチンペーパーロールは、通常は巻回された状態のまま台所の調理台や流し台あるいは戸棚や計量切出米収納容器などの厨房設備の棚や台の上などに横に倒した状態で置かれている。したがって、使用する際には、キッチンペーパーロールを手に取って、必要な長さ分だけ巻きほぐしてミシン目などから分離し、残りのキッチンペーパーロールは横にした状態で元の位置に戻される。
【考案の概要】
【考案が解決しようとする課題】
【０００４】
本考案は、キッチンペーパーのうちキッチンペーパーロールに適用して用いる用具であり、キッチンペーパーロールを使用時に適宜長さに巻きほぐして一枚毎の方形のキッチンペーパーに分離可能な状態とするための用具である。この用具はキッチンペーパーロールを縦向きの状態にして立て、その状態で回転可能とし、しかも、巻きほぐしたキッチンペーパーロールの外周の端部が自動的に中央側へ寄せられて外方へ拡がりにくくしている。この考案の課題は、上記のキッチンペーパーロールを調理台あるいは流し台の上に常備して直ぐに使用できる状態として置くための、キッチンペーパーロール・スタンドを提供することである。
【課題を解決するための手段】
【０００５】
この考案の課題を解決するための手段は、第１の手段では、曲部を描いて上方に反り上る周辺部とキッチンペーパーロールの未使用のロール径大の平面状の中央部からなる受皿と、受皿の中心に立設され、キッチンペーパーロールの円筒芯の内径より細径であり、かつキッチンペーパーロールの円筒芯の長さより長い主円柱とからなり、さらに、受皿の質量を、キッチンペーパーロール、受皿の中心に立設の主円柱、キッチンペパーロールの円筒芯およびキッチンパーパーロールからなる質量の合計量よりも大きな質量として、重心の位置を受皿側に低く下げてキッチンパーパーロールごとの転倒を防止していることを特徴とするキッチンペーパーロール・スタンドである。
【０００６】
第２の手段では、受皿の中心に立設され、キッチンペーパーロールの円筒芯の内径より細径でかつキッチンペーパーロールの円筒芯の長さよりも長い主円柱は、主円柱より短い副円柱とその短い副円柱に継ぎ足した副円柱もしくは副円筒からなることを特徴とする請求項１の手段のキッチンペーパーロール・スタンドである。
【０００７】
第３の手段では、受け皿は曲部を描いて上方に反り上る周辺部が幅２〜３０ｍｍで、キッチンペーパーロールの未使用のキッチンペーパーロール径大の平面の中央部が径１１０〜１２０ｍｍで、キッチンペーパーロールの円筒芯の内径より細径とされた主円柱の外径が３０ｍｍ又は３５ｍｍでかつ主円柱の受皿の平面状の中央部からの高さが、キッチンペーパーロールの端片を切り取るため側方に引張って巻き戻した際に主円柱からキッチンペーパーロールの円筒芯を抜け落ちなくした高さで、キッチンペーパーロールの円筒芯を支持する主円柱の高さが受皿の中心に立設のキッチンペーパーロールより凡そ５〜２０ｍｍ上方に突出する高さであることを特徴とする請求項２の手段のキッチンペーパーロール・スタンドである。
【０００８】
第４の手段では、受皿は、その素材が陶器、磁器、ガラス、木材、プラスチックスなどの素材からなり、素材が木材やプラスチックなどで軽量の場合は受皿の反り上がった曲部の裏面に鉄製の輪からなる錘を取り付けていることを特徴とする請求項３の手段のキッチンペーパーロール・スタンドである。
【考案の効果】
【０００９】
本考案のキッチンペーパーロール・スタンドでは、受皿の周辺部に反り上がった曲部の部分の内径が未使用のキッチンペーパーロールのロール径の大きさであるので、受皿の中央の平面の部分にキッチンペーパーロールを立設した際に、キッチンペーパーロールの外周の端片がロールの巻回に抗して広がろうとしても、この端片の下端部が受皿の反り上がった曲部の面に当接するので、広がることが抑制されて受皿内に納められている。
【００１０】
さらにキッチンペーパーロールは受皿の中心に立設された主円柱の周囲にキッチンペーパーの円筒芯で回転自在に嵌め込まれて支持されているので、キッチンペーパーロールから必要な１枚分の長さのキッチンペーパーを切り取るとき、その１枚分を横に引っ張るだけでキッチンペーパーロールが自在に回転するので簡単に切り取ることができる。
【００１１】
これらのキッチンペーパーロール・スタンドのキッチンペーパーロールの受皿は木材やプラスチック製などからなり軽量である場合は、受皿の反り上がった曲部の裏面にリング状の錘を設けているので、キッチンペーパーを切り取るためにキッチンペーパーロールの端片を横に引っ張っても容易に倒れることなく安定してキッチンペーパーを切り取りできる。このように本考案のキッチンペーパーロール・スタンドは優れた効果を奏するものである。
【図面の簡単な説明】
【００１２】
【図１】キッチンペーパーロール・スタンドの受皿に立設の主円柱にキッチンペーパーロールを取り付けた状態を示す側方から見た模式図である。
【図２】キッチンペーパーロール・スタンドの受皿に立設の副円柱と副円筒からなる主円柱にキッチンペーパーロールを取り付けた状態を示す側方から見た模式図である。
【図３】受皿の反った曲部の裏面に錘を配け、受皿の高台である環状支台に滑り止め用のゴム底を取り付けた状態を示す図である。
【図４】軟質プラスチック製吸盤を受皿の裏面に設けた図である。
【考案を実施するための形態】
【００１３】
本考案を実施するための形態について、以下、図面を参照して、順を追って説明する。
第１の手段の考案では、図１に示すように、キッチンペーパーロール４を立てて載置する受皿２は、上方に曲部を描いて反り上る周辺部２ａと平面状の中央部２ｃと受皿２の裏面側に形成の高台である環状支台２ｅを有する。この受皿２は直径１５０ｍｍの円形の大きさからなるものとする。受皿２の周辺部２ａはその外周端が曲状に上方に反り上って幅２０〜３０ｍｍの周辺部２ａを形成している。この受皿２の周辺部２ａの内側は平面状の中央部２ｃとなっている。この平面状の中央部２ｃは直径１１０〜１２０ｍｍの大きさであり、この大きさはキッチンペーパーロール４のロール径の略１１０ｍｍの直径に略等しい大きさである。さらに、受皿２の裏面側に形成の環状支台２ｅの外径の大きさは、キッチンペーパーロール４を立てて受皿２に載置したときに安定して支持できるように、キッチンペーパーロール４の径よりも大きな径の略１２５〜１３０ｍｍで、環状支台２ｅの高さは余り高くない方が安定性があるので略２〜６ｍｍとする。この環状支台２ｅの高さの下限値の２ｍｍは、受皿２の中央に立設する主円柱３を受皿２に取り付けるために受皿２の平面状の中央部２ｃの裏面からねじ６を受皿２の中心に開口した径５ｍｍの孔に挿通して主円柱３をねじ止めするので、そのねじ６の頭部６ａやワッシャー７などの厚みを確保するための高さである。もし、ねじ６を受皿２に挿通して主円柱３をねじ止めしないで、強力な接着剤で主円柱３を受皿２に接着する場合は、受皿２の裏面に環状支台２ｅを設けなくとも良く、裏面を平面にして、この平面を支台とすることができる。
【００１４】
第２の手段の考案では、図２に示すように、キッチンペーパーロール４を立てて載置する受皿２は、図１と同様であり、上方に曲部を描いて反り上る周辺部２ａと平面状の中央部２ｃと受皿２の裏面側に形成の高台である環状支台２ｅを有する。この受皿２は直径１５０ｍｍの円形の大きさからなるものとする。受皿２の周辺部２ａはその外周端が曲状に上方に反り上って幅２０〜３０ｍｍの周辺部２ａを形成している。この受皿２の周辺部２ａの内側は平面状の中央部２ｃとなっている。この平面状の中央部２ｃは直径１１０〜１２０ｍｍの大きさであり、この大きさはキッチンペーパーロール４のロール径の略１１０ｍｍの直径に略等しい大きさである。さらに、受皿２の裏面側に形成の環状支台２ｅの外径の大きさは、キッチンペーパーロール４を立てて受皿２に載置したときに安定して支持できるように、キッチンペーパーロール４の径よりも大きな径の略１２５〜１３０ｍｍで、環状支台２ｅの高さは余り高くない方が安定性があるので略２〜６ｍｍとする。この環状支台２ｅの高さの下限値の２ｍｍは、受皿２の中央に立設する主円柱３を受皿２に取り付けるために受皿２の平面状の中央部２ｃの裏面からねじ６を受皿２の中心に開口した径５ｍｍの孔に挿通して主円柱３をねじ止めするので、そのねじ６の頭部６ａやワッシャー７などの厚みを確保するための高さである。
【００１５】
これらの受皿２の周辺部２ａの幅は略２０〜３０ｍｍに形成している。この周辺部２ａの幅の部分は曲部２ｂを描いて上方に反り上っている。さらに受皿２はこの曲部状に反り上がった周辺部２ａの中に平面状の中央部２ｃを有しており、この平面状の中央部２ｃの外径は略１１０〜１２０ｍｍで、この径は未使用のキッチンペーパーロール４の径の大きさからなっている。受皿２の中央に立設されている主円柱３は３０ｍｍまたは３４ｍｍの外径を有している。その立設された主円柱３の高さは、立設したキッチンペーパーロール４の端片４ａを側方に引張った際に受皿２と支持されたキッチンパーパーロール４が一体となって転倒することのない高さである。この条件を満足するならば、キッチンペーパーロール４の円筒芯４ｂを支持する主円柱３に代えて、長さが主円筒３と同等の長さとなる短い副円柱５ａと短い副円柱５ａにより、もしくは、図２に示すように、短い副円柱５ａと短い副円筒５ｂにより、受皿２の平面状の中央部２ｃにキッチンパーパーロール４を支持できる。このように主円柱３あるいは副円柱５ａと副円筒５ｂに外側から嵌め込まれているキッチンペーパーロール４の円筒芯４ｂを支持する高さは、支主円柱３に円筒芯４ｂを嵌め込んで立設したキッチンペーパーロール４の高さより略５〜２０ｍｍ上方にはみ出した高さとなっている。
【００１６】
この主円柱３の代用の副円筒５ｂには、ラッピング用の樹脂フィルムロール、例えば商標名サランラップ、の厚紙からなる円筒芯をそのままで利用できる。このラッピング用の樹脂フィルムロールの円筒芯は内径が３４ｍｍ、外径が３６ｍｍで、長さが２２０ｍｍであるので、そのまま本考案における主円柱３の代用の副円筒５ｂとして有効利用できる。このラッピング用の樹脂フィルムロールの円筒芯が手に入らない場合は、これと同じ寸法からなる副円筒５を厚紙やプラスチックから形成するものとする。
【００１７】
ところで、本考案の受皿２は十分な重量感があり、キッチンペーパーロール４を載置できる程度の剛性を有する素材であれば、その素材の種類を問うことはない。日常、使用するものであるから、台所などと調和する質感と色彩を有しておれば良い。したがって、受皿２の素材は、陶器、磁器、ガラス、木材、プラスチックスなどの素材が適用できる。この場合、素材が木材やプラスチックなどで軽量である場合は、図３に示すように受皿２の反り上がった曲部２ｂの裏面に鉄製などの錘８を輪状配置して取り付け、キッチンペーパーロール４を載置して、横に引張ってキッチンペーパーを切断する際に倒れないものとする。あるいは、図示しないが、受皿２の平面状の中央部２ｃの裏面の部分に鉄製などの錘を設けてもよい。さらに、この図３に示すように、高台である環状支台２ｅの周囲には嵌め込み式の滑り止め用のゴム底２ｆを被せて取り付けると、受皿２をステンレス製の鏡面状の流し台などに置いてもキッチンパーパーロール４を巻き戻すためにその端片４ａを横に引張っても、受皿２は横に滑ることなく安定して流し台を移動しないので、スムーズにキッチンペーパーロール４から端片４ａを切り取ることができる。
【００１８】
さらに、受皿２にキッチンペーパーロール４を載置して、横に引張ってキッチンペーパーを切断して取る際に倒れにくくするために、図４に示すように、受皿２の裏面を平面として環状支台を設けることなく平面部とし、この平面部に軟質プラスチック製の逆椀型の吸盤９を取り付け、吸盤９の逆椀型の内部を流し台や調理台の平らな台に押し付けて真空状態として吸着させることとすることもできる。なお、この場合は、主円柱３は受皿２の表側の平面状の中央部２ｃに強力な接着剤で接着して立設せしめる。
【００１９】
本考案は上記した構造からなるキッチンペーパーロール・スタンド１であるので、使用時に必要な使用分の長さ分だけ巻きほぐしてキッチンペーパーロール４に入れた切断用のミシン目の部分から容易に切り取ることができる。しかも、巻きほぐしたキッチンペーパーロール４の外周の端片４ａが受皿２の上方に立ち上がった曲部２ｂにより自動的に受皿２の中央側へ寄せられて外方へ拡がりにくくなっている。したがって、キッチンペーパーロール４を調理台や流し台などの平らな台に立てた状態で常備できるので、場所をとることなく、非常に使い勝手がよく優れている。
【符号の説明】
【００２０】
１  キッチンペーパー・スタンド
２  受皿
２ａ  周辺部
２ｂ  曲部
２ｃ  平面状の中央部
２ｄ  中心
２ｅ  環状支台
２ｆ  ゴム底
３  主円柱
４  キッチンペーパーロール
４ａ  端片
４ｂ  円筒芯
５ａ  副円柱
５ｂ  副円筒
６  ねじ
６ａ  頭部
７  ワッシャー
８  錘
９  吸盤
【図１】
0003173531.tif 000003
【図２】
0003173531.tif 000004
【図３】
0003173531.tif 000005
【図４】
0003173531.tif 000006